(57)【要約】【課題】復号処理の負荷を低減する。【解決手段】無線通信装置(10)は、復号前に通知された複数の候補の制御情報のそれぞれのトランスポート・ブロック・サイズに基づいて、受信データのトランスポート・ブロック・データとそのレピティション・データの尤度を加算した尤度の絶対値の平均値を求め、その絶対値の平均値に基づいて複数の候補の制御情報の中の適用する候補の制御情報を選択し、選択された候補の制御情報を適用して受信データの復号処理を行う処理部(2254,2262-2276)を含んでいる。【選択図】図７
2015213268.tif 000002
【特許請求の範囲】
【請求項１】
復号前に通知された複数の候補の制御情報のそれぞれのトランスポート・ブロック・サイズに基づいて、受信データのトランスポート・ブロック・データとそのレピティション・データの尤度を加算した尤度の絶対値の平均値を求め、前記絶対値の平均値に基づいて前記複数の候補の制御情報の中の適用する候補の制御情報を選択し、選択された前記候補の制御情報を適用して前記受信データの復号処理を行う処理部を含む無線通信装置。
【請求項２】
前記適用する候補の制御情報は、前記加算した尤度の絶対値の平均値が閾値以上となった場合に適用された候補のトランスポート・ブロック・サイズを含むものであることを特徴とする、請求項１に記載の無線通信装置。
【請求項３】
選択された前記候補の制御情報における候補のトランスポート・ブロック・サイズに基づいて求められた前記絶対値の平均値は、前記複数の候補の制御情報の中の他の候補の制御情報における候補のトランスポート・ブロック・サイズに基づいて求められた前記絶対値の平均値より大きいものであることを特徴とする、請求項１または２に記載の無線通信装置。
【請求項４】
前記処理部は、選択された前記複数の候補の制御情報のそれぞれの前記候補のトランスポート・ブロック・サイズに基づいて求められた前記絶対値の平均値の大きさの順に、選択された前記候補の制御情報に基づいて前記受信データの復号処理を行うものであることを特徴とする、請求項１乃至３のいずれかに記載の無線通信装置。
【請求項５】
復号前に通知された複数の候補の制御情報のそれぞれのトランスポート・ブロック・サイズに基づいて、受信データのトランスポート・ブロック・データとそのレピティション・データの尤度を加算した尤度の絶対値の平均値を求め、前記絶対値の平均値に基づいて前記複数の候補の制御情報の中の適用する候補の制御情報を選択し、選択された前記候補の制御情報を適用して前記受信データの復号処理を行う処理を、無線通信装置が実行することを特徴とする復号処理方法。
【発明の詳細な説明】
【技術分野】
【０００１】
本発明は、通信における受信信号の復号に関する。
【背景技術】
【０００２】
国際電気通信連合（ＩＴＵ）のＩＴＭ−ＤＳ規格には、例えばＷ−ＣＤＭＡ（Wideband Code Division Multiple Access）方式によるＨＳ−ＤＰＡ（High Speed Downlink Packet Access）方式が規定されている。ＨＳ−ＤＰＡ方式では、無線基地局から移動局への下り方向の共通チャネルとして、チャネルＨＳ−ＳＣＣＨ（High Speed-Shared Control Channel）およびＨＳ−ＰＤＳＣＨ（High Speed-Physical Downlink Shared Channel）が、送信に使用される。チャネルＨＳ−ＰＤＳＣＨは、上位のトランスポート・チャネルＨＳ−ＤＳＣＨ（High-Speed Downlink Shared CHannel）にマッピングされる。
【０００３】
移動局では、通常、チャネルＨＳ−ＳＣＣＨとＨＳ−ＤＳＣＨの双方について、別々に、受信信号の復調および復号処理が行われる。一方、無線基地局がＨＳ−ＳＣＣＨレス（Ｌｅｓｓ）の動作モードに移行した場合、移動局は、基本的に、チャネルＨＳ−ＳＣＣＨの信号を受信することなく、チャネルＨＳ−ＰＤＳＣＨの受信信号の復調および復号処理を行う。
【０００４】
或る既知の受信装置では、受信した複数のＨＳ−ＳＣＣＨの第１の部分を個別にビタビ復号するビダビ復号結果から、ＨＳ−ＰＤＳＣＨの変調方式を判定すると共に、ＨＳ−ＳＣＣＨを受信した際の伝播路状態を示す値を算出する。受信装置は、さらに、判定したＨＳ−ＰＤＳＣＨ変調方式と伝播路状態とを比較し、変調方式が１６ＱＡＭを示しているが伝播路状態が悪い場合、ＨＳ−ＳＣＣＨの第１の部分の復号結果を破棄する。この場合、受信装置は、さらに、続けて行うもしくは途中まで処理を行っていたＨＳ−ＳＣＣＨの第２の部分の復号処理とＨＳ−ＰＤＳＣＨの復号処理を停止する。それによって、移動機は、自己宛のＨＳ−ＳＣＣＨの検出結果の信頼度を向上させて誤検出率を低減することができる。
【０００５】
或る既知の無線通信装置は、データの新規送信についての新規受信データと、該データの再送信についての再送受信データとを合成して、次いで誤り訂正復号を行う。無線通信装置は、該新規受信データを記憶する記憶部と、該再送受信データについての受信品質または該再送受信データと該記憶部に記憶した新規受信データとを合成して得られた合成データについての受信品質を評価する受信品質評価部とを備える。また、無線通信装置は、該評価の結果に応じて、該再送受信データまたは合成データについての復号を行うか否かの制御を行う制御部を備えている。それによって、消費電力が削減できる。
【０００６】
複数の共用制御チャネルの１つにおいて伝送される無線受信機宛ての制御チャネル・メッセージを検出する既知の方法では、複数の共用制御チャネルを介して伝送されるメッセージが復号化され、各復号化メッセージの少なくとも１つの尤度メトリックが判定される。また、その方法では、尤度メトリックに基づいて復号化メッセージから最良の候補が選択され、最良の候補の少なくとも１つの尤度メトリックと、最良の候補以外のメッセージの対応する尤度メトリックとを比較して、最良の候補が有効なメッセージかどうかが判定される。
【先行技術文献】
【特許文献】
【０００７】
【特許文献１】特開２００６−１２１３４６号公報
【特許文献２】特開２００６−１２９０１８号公報
【特許文献３】特表２０１０−５３１５９４号公報（国際公開第２００９／０００６９７号）
【発明の概要】
【発明が解決しようとする課題】
【０００８】
無線基地局はＨＳ−ＳＣＣＨレスの動作モードに移行する前に、チャネルＨＳ−ＳＣＣＨで、後のデータ送信に適用する１乃至４の候補の制御情報を移動局に通知する。次いで、無線基地局がＨＳ−ＳＣＣＨレスの動作モードに移行してチャネルＨＳ−ＰＤＳＣＨでデータを移動局に送信したとき、移動局は、通常、通知された各候補の制御情報を順に適用して、チャネルＨＳ−ＰＤＳＣＨで受信した復調信号のデータの復号処理を試みる。
【０００９】
発明者たちは、移動局において、通知された２つ以上の候補の制御情報に基づいて同じ受信データに対して全ての復号処理が繰り返し行われると、復号の処理負荷が大きくなり、消費電力が多くなる、と認識した。
【００１０】
１つの観点では、本発明の目的は、復号処理の負荷を低減することである。
別の観点では、本発明の別の目的は、復号処理の消費電力を低減することである。
【課題を解決するための手段】
【００１１】
本発明の実施形態によれば、復号前に通知された複数の候補の制御情報のそれぞれのトランスポート・ブロック・サイズに基づいて、受信データのトランスポート・ブロック・データとそのレピティション・データの尤度を加算した尤度の絶対値の平均値を求め、その絶対値の平均値に基づいて複数の候補の制御情報の中の適用する候補の制御情報を選択し、選択された候補の制御情報を適用して受信データの復号処理を行う処理部を含む無線通信装置、が提供される。
【発明の効果】
【００１２】
実施形態の実施形態によれば、復号処理の負荷を低減し、また、復号処理の消費電力を低減することができる。
【図面の簡単な説明】
【００１３】
【図１】図１は、実施形態に用いられる移動体通信システムの例を示している。
【図２】図２は、実施形態に用いられる移動通信端末の構成（configuration）の例を示している。
【図３】図３は、変調、符号化、復調および復号に関連する、図２の無線回路部、ベースバンド信号処理部およびアプリケーション処理部の概略的な構成（configuration）の例を示している。
【図４】図４は、通常のＨＳ−ＤＰＡ方式による、無線基地局と移動通信端末の間の送受信シーケンスの例を示している。
【図５】図５は、ＨＳ−ＤＰＡ方式による、ＨＳ−ＳＣＣＨレスの動作モードに関する、無線基地局と移動通信端末の間の別の送受信シーケンスの例を示している。
【図６】図６は、図５のシーケンスによる、無線基地局と移動通信端末における信号の送受信タイミングの例を示している。
【図７】図７は、実施形態による、図３の復号処理部の概略的な構成（configuration）の例を示している。
【図８Ａ】図８Ａおよび８Ｂは、実施形態による、移動通信端末のＨＳ−ＰＤＳＣＨ復号処理部によって実行される、復号処理のためのフローチャートの例を示している。
【図８Ｂ】(図8Aで説明)
【図９】図９は、ＩＲバッファ部に格納される、受信したトランスポート・ブロック（ＴＢ）およびそのレピティション（繰り返し）のデータのシーケンスの例を示している。
【図１０】図１０Ａ〜１０Ｄは、パタンマッチング判定部によって求められる、図９のトランスポート・ブロック・データとその各レピティション・データを含むビット・シーケンスの各対応ビット位置の累積的尤度値（尤度値の総和）の例を示している。
【発明を実施するための形態】
【００１４】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１５】
本発明の非限定的な実施形態を、図面を参照して説明する。図面において、同様のコンポーネントおよび要素には同じ参照番号が付されている。
【００１６】
図１は、実施形態に用いられる移動体通信システム２の例を示している。
図１において、移動体通信システム２は、コア・ネットワーク５、および複数の無線基地局５４を含んでいる。各無線基地局５４は、複数の移動通信端末またはユーザ端末（ＵＥ）１０に対して、エア・インタフェースを介して移動体通信サービスを提供する。コア・ネットワーク５は、インターネットおよび公衆交換電話網（ＰＳＴＮ）のような他のネットワークに接続されてもよい。
【００１７】
ＨＳ−ＤＰＡ方式では、無線基地局５４が、下りチャネルＨＳ−ＳＣＣＨで制御情報を移動通信端末１０に送信し、下りチャネルＨＳ−ＰＤＳＣＨで制御情報に基づいてデータを移動通信端末１０に送信する。制御情報は、送信するデータに関して、例えば、トランスポート・ブロック・サイズ（ＴＢＳ）、可変レート（ＳＦ）、変調方式、符号化レートおよび伝送レート等に関する情報を含み、下りチャネルの通信状態に応じて適応的に変更される。制御情報における各トランスポート・ブロック・サイズ情報は、例えば、そのトランスポート・ブロック・サイズおよび可変レート（ＳＦ）等の特定の制御パラメータの組合せの制御情報に対応する。従って、制御情報における１つのトランスポート・ブロック・サイズの情報は、そのトランスポート・ブロック・サイズを含む特定の１つまたは１組の制御情報に対応する。
【００１８】
一方、移動通信端末１０は、通常、下りチャネルＨＳ−ＳＣＣＨおよびＨＳ−ＰＤＳＣＨの各受信信号を別々に復調および復号処理し、チャネルＨＳ−ＳＣＣＨで受信した制御情報に基づいてチャネルＨＳ−ＰＤＳＣＨで受信した信号を復調および復号処理する。移動通信端末１０は、受信信号に応答して、上り共通チャネルＨＳ−ＤＰＣＣＨ（High Speed-Dedicated Physical Control CHannel）で、応答ＡＣＫ（肯定応答）、ＮＡＣＫ（否定応答）またはＤＴＸ（不連続送信）を無線基地局５４に送信する。
【００１９】
一方、ＶｏＩＰ（Voice over IP）のような低い伝送レートで或る種の制御情報をチャネルＨＳ−ＳＣＣＨで送信するとオーバーヘッドが発生する。そのオーバーヘッドを防ぐために、３ＧＰＰ（Third Generation Partnership Project）規格のＲｅｌｅａｓｅ ７では、チャネルＨＳ−ＳＣＣＨで制御情報を送信しないＨＳ−ＳＣＣＨレス（Ｌｅｓｓ）の動作モードが追加された。
【００２０】
無線基地局５４と移動通信端末１０の間でＨＳ−ＳＣＣＨレスの動作モードへ移行する場合、その前に、無線基地局５４は、チャネルＨＳ−ＳＣＣＨで、ＨＳ−ＳＣＣＨレスの動作モードへの移行を通知する制御情報を送信する。その制御情報は、トランスポート・ブロック・サイズ（ＴＢＳ）を含む１つ乃至４つの制御情報を指定する情報を含んでおり、指定された１つ乃至４つの制御情報のいずれかがその後のＨＳ−ＳＣＣＨのチャネルでのデータ送信に適用される。
【００２１】
その後、ＨＳ−ＳＣＣＨレスの動作モードにおいて、無線基地局５４は、チャネルＨＳ−ＳＣＣＨで制御情報を送信することなく、指定された１つ乃至４つの制御情報のうちのいずれか１つを選択して適用してチャネルＨＳ−ＰＤＳＣＨでデータを送信することができる。但し、指定された制御情報が１つの場合は、その１つの制御情報だけがチャネルＨＳ−ＰＤＳＣＨでのデータ送信に適用される。
【００２２】
ＨＳ−ＳＣＣＨレスの動作モードに移行した場合、移動通信端末１０は、基本的に、チャネルＨＳ−ＳＣＣＨでの信号の受信、復調および復号処理なしで、チャネルＨＳ−ＰＤＳＣＨでの受信信号の復調および復号処理を行う。指定された制御情報が２つ以上の場合、移動通信端末１０は、通常、ＨＳ−ＳＣＣＨレスで受信したチャネルＨＳ−ＰＤＳＣＨ上の信号に対して、無線基地局５４から予め通知された２つ乃至４つの候補の制御情報に基づいて何の指針もなく順に復調および復号を試みる。その際、２つ乃至４つの候補の制御情報に基づく復調および復号は、受信データの復号に成功するかまたは全ての復号の失敗が確定するまで、順に試行される。従って、移動通信端末１０は、ＨＳ−ＳＣＣＨレスの動作モードでのチャネルＨＳ−ＰＤＳＣＨの受信信号の復調および復号処理において、復号処理の負荷が増大し、処理時間が長くなり、消費電力も増大し、高性能の高価なプロセッサが必要になる。
【００２３】
一方、移動通信端末１０は、チャネルＨＳ−ＰＤＳＣＨの信号のトランスポート・ブロック（ＴＢ）データの受信に続いて、同じトランスポート・ブロック・データのレピティション（repetition：繰り返し）データを、ＩＲバッファ・サイズを満たすまで繰り返し受信する。トランスポート・ブロック・データおよび各レピティション・データは、一部の最後のレピティション・データを除いて、制御情報におけるトランスポート・ブロック・サイズ（ＴＢＳ）を有する。
【００２４】
移動通信端末１０は、ＨＡＲＱ（ハイブリッドＡＲＱ）処理において、トランスポート・ブロック・サイズ（ＴＢＳ）に基づいてトランスポート・ブロック（ＴＢ）データ及び各レピティション・データを分離又は合成して、トランスポート・ブロック・データを取り出す。その際、移動通信端末１０は、ＨＡＲＱ処理において、トランスポート・ブロック・データおよびそのレピティション・データの尤度情報を取得して利用することができる。データの尤度情報は、トランスポート・ブロック・データおよびそのレピティション・データの各ビット値（０または１）の信号レベル（−３２〜＋３２）を表し、各ビット値の信頼度を表している。各ビットの尤度値は、理想的には＋３２または−３２であるが、伝送信号の電波干渉等によって、ゼロ（０）に近づき、場合によって符号（＋、−）が反転する。
【００２５】
発明者は、各候補のＴＢＳに基づいてＨＳ−ＰＤＳＣＨ信号のＴＢデータとレピティション・データの対応ビットの尤度値を加算して累積的尤度値を求め、累積的尤度値の絶対値の平均値に基づいて、復号に適用する候補の制御情報を決定することができる、と認識した。ここで、ＴＢデータはトランスポート・ブロックのデータを表し、ＴＢＳはトランスポート・ブロック・サイズを表す。また、発明者たちは、その累積的尤度の絶対値の平均値に基づいて、ＨＳ−ＰＤＳＣＨの受信信号の復号処理に適用する候補の制御情報の優先度を決定できる、と認識した。また、発明者たちは、高い優先度の候補の制御情報を適用して受信信号の復号処理を行えば、ターボ復号のような相対的に高い負荷の復号処理の試行回数を減らし、消費電力の増大を抑えることができる、と認識した。
【００２６】
実施形態の目的は、ＨＳ−ＤＰＡ方式のＨＳ−ＳＣＣＨレスの動作モードにおいて、移動通信端末におけるチャネルＨＳ−ＰＤＳＣＨの受信信号の復号処理の負荷および消費電力の増大を抑えることである。この目的は、実施形態によって達成される。
【００２７】
図２は、実施形態に用いられる移動通信端末１０の構成（configuration）の例を示している。
【００２８】
図２において、移動通信端末１０は、無線通信装置であり、例えば、携帯電話機、スマートフォン、またはタブレット型の情報処理端末であってもよい。移動通信端末１０は、例えば、アンテナ（ＡＮＴ）１２、無線（ＲＦ）回路部１４、通信処理部または信号処理装置１６、アプリケーション処理部１８、および記憶部１６８を含んでいる。移動通信端末１０は、さらに、例えば、音響部２２、入力部２４、表示部３４およびＳＩＭ（Subscriber Identity Module）部３６を含んでいる。
【００２９】
アンテナ１２は無線回路部１４に結合されている。無線回路部１４は通信処理部１６に結合されている。通信処理部１６は、通信制御部１６２およびベースバンド信号処理部１６４を含んでいる。通信制御部１６２は、例えば、通信用のＣＰＵ（Central Processing Unit）であってもよい。通信処理部１６は、アプリケーション処理部１８に結合されている。
【００３０】
記憶部１６８は、通信処理部１６およびアプリケーション処理部１８に結合されている。アプリケーション処理部１８は、例えば、音響部２２、入力部２４、表示部３４およびＳＩＭ部３６に結合されていてもよい。音響部２２は、例えば、マイクロホン、レシーバおよびスピーカを含んでいてもよい。入力部２４は、例えば、テンキーを含むキーボード、ポインティング・デバイス、および／またはタッチパネルを含んでいてもよい。表示部３４は、例えば、液晶表示装置、またはタッチパネル付き液晶表示装置であってもよい。
【００３１】
図３は、変調、符号化、復調および復号に関連する、図２の無線回路部１４、ベースバンド信号処理部１６４およびアプリケーション処理部１８の概略的な構成（configuration）の例を示している。
【００３２】
無線回路部１４は、無線送信部１４２および無線受信部１４４を含んでいる。ベースバンド信号処理部１６４は、符号化処理部２０４、変調処理部２０６、復調処理部２２６および復号処理部２２４を含んでいる。アプリケーション処理部１８は、データ送信部３０４、送信用のデータ処理部３０６、受信用のデータ処理部３２６およびデータ受信部３２４を含んでいる。ベースバンド信号処理部１６４の変調処理部２０６は、無線回路部１４の無線送信部１４２に結合されている。復調処理部２２６は、無線回路部１４の無線受信部１４４に結合されている。符号化処理部２０４は、アプリケーション処理部１８のデータ処理部３０６に結合されている。復号処理部２２４は、アプリケーション処理部１８のデータ処理部３２６に結合されている。ベースバンド信号処理部１６４における処理は、ＯＳＩ参照モデルのレイヤ１（物理層）の処理である。
【００３３】
図３において、復調処理部２２６は、無線受信部１４４によって無線基地局５４から受信した下りチャネル上の受信信号を復調する。復号処理部２２４は、復調された信号を復号する。データ処理部３２６は復号されたデータを分解し、データ受信部３２４はデータを受信処理する。一方、データ送信部３０４はデータを処理して送信用のデータを生成し、データ処理部３０６はデータを送信のために組み立てる。符号化処理部２０４は、組み立てられたデータを符号化する。変調処理部２０６は、符号化データでキャリアを変調して上りチャネルの信号として無線送信部１４２を介して無線基地局５４へと送信する。
【００３４】
図４は、通常のＨＳ−ＤＰＡ方式による、無線基地局５４と移動通信端末１０の間の送受信シーケンスの例を示している。
【００３５】
図４を参照すると、無線基地局５４は、ステップ４０２において下りチャネルＨＳ−ＳＣＣＨ上で制御情報を送信し、ステップ４０４において下りチャネルＨＳ−ＰＤＳＣＨ上でデータを送信する。移動通信端末１０は、チャネルＨＳ−ＳＣＣＨの制御情報と、チャネルＨＳ−ＰＤＳＣＨのデータとをそれぞれ受信して復調および復号処理する（レイヤ１）。
【００３６】
移動通信端末１０は、自己宛のデータを受信した場合、チャネルＨＳ−ＳＣＣＨで搬送されたＴＢＳ等の制御情報に基づいて、チャネルＨＳ−ＰＤＳＣＨの信号およびデータについて復調および復号処理を行う。また、移動通信端末１０は、復号された受信データが自己宛で正常であると判定した場合（ＣＲＣ−ＯＫ）に、応答ＡＣＫを生成し、受信データが誤りであると判定した場合（ＣＲＣ−ＮＧ）に、応答ＮＡＣＫを生成する。また、移動通信端末１０は、受信データが自己宛でないと判定した場合に応答ＤＴＸを生成する。移動通信端末１０は、いずれかの判定結果の応答ＡＣＫ、ＮＡＣＫまたはＤＴＸを上りチャネルＨＳ−ＤＰＣＣＨ上で無線基地局５４に送信する。無線基地局５４は、移動通信端末１０からの応答に応じて、同じデータを再送するかまたは次の新しいデータを送信する。一方、移動通信端末１０は、チャネルＨＳ−ＰＤＳＣＨの受信データが正常であった場合（ＣＲＣ−ＯＫ）、レイヤ１での受信が正常であると判定して、上位のレイヤ２の処理を行う。
【００３７】
図５は、ＨＳ−ＤＰＡ方式による、ＨＳ−ＳＣＣＨレスの動作モードに関する、無線基地局５４と移動通信端末１０の間の別の送受信シーケンスの例を示している。
【００３８】
図６は、図５のシーケンスによる、無線基地局５４と移動通信端末１０における信号の送受信タイミングの例を示している。
【００３９】
図５および６を参照すると、無線基地局５４は、ステップ４１２において、チャネルＨＳ−ＳＣＣＨ上で、ＨＳ−ＳＣＣＨレスの動作モードの開始を表すレイヤ１の伝達信号を送信する。また、無線基地局５４は、レイヤ３（ネットワーク層）のＲＲＣ（Radio Resource Control）メッセージで、移動通信端末１０に特定の数の異なる制御情報を通知する。ここで、特定の数は、１乃至４のいずれかである。即ち、無線基地局５４から移動通信端末１０へ、以後のチャネルＨＳ−ＰＤＳＣＨでのデータ送信において適用される１つの制御情報または２つ、３つ若しくは４つの候補の制御情報が通知される。ステップ４１４において、無線基地局５４は、チャネルＨＳ−ＰＤＳＣＨで移動通信端末１０にデータを送信する。ステップ４１８において、移動通信端末１０は無線基地局５４に応答（ＡＣＫ）を送信する。それによって、以後、無線基地局５４および移動通信端末１０は、ＨＳ−ＳＣＣＨレスの動作モードで送受信する。
【００４０】
無線基地局５４は、ステップ４２２においてチャネルＨＳ−ＳＣＣＨ上で信号を送信することなく、ステップ４２４において特定の数の制御情報の中のいずれか１つに基づいてチャネルＨＳ−ＰＤＳＣＨ上でデータを送信する。移動通信端末１０は、特定の数の候補の制御情報の中の各々に基づいて、チャネルＨＳ−ＰＤＳＣＨ上の受信信号を復調処理し、復調信号を復号処理する。通常、この復号処理（広義）では、基本的に、全ての候補の制御情報を順に適用して、各制御情報に基づいて、以下で説明する前段の予備処理（前処理）と後段の復号処理（狭義）とが実行される。一方、実施形態では、無線基地局５４によって指定された制御情報が２つ以上ある場合、以下で説明するように、全ての候補の制御情報に基づいて消費電力の少ない前段の予備処理が行われる。次いで、消費電力の多い後段の復号処理が、トランスポート・ブロック・データと各レピティション・データの各対応ビットの尤度の絶対値の平均値が大きく優先度の高い少なくとも１つの候補の制御情報のみに基づいて、行われる。
【００４１】
次いで、移動通信端末１０は、いずれの候補の制御情報を適用して正常に受信データを復号できた場合、復号データを正しい受信データとして受信処理する。この場合、移動通信端末１０は、ステップ４２８において、チャネルＨＳ−ＤＰＳＣＣＨ上で応答ＡＣＫを無線基地局５４に送信する。一方、移動通信端末１０は、いずれの候補の制御情報を適用しても正常にデータを復号できなかった場合、ステップ４２８において、チャネルＨＳ−ＤＰＳＣＣＨ上で応答ＮＡＣＫを無線基地局５４に送信する。
【００４２】
一方、図６において、ＨＳ−ＳＣＣＨレスの動作モードにおいて、無線基地局５４は、応答ＮＡＣＫの受信に応答して、チャネルＨＳ−ＳＣＣＨ上で正しい制御情報を送信し、チャネルＨＳ−ＰＤＳＣＨ上で前回と同じデータを再び送信する。一方、無線基地局５４は、応答ＡＣＫの受信に応答して、再び、チャネルＨＳ−ＳＣＣＨ上で信号を送信することなく、チャネルＨＳ−ＰＤＳＣＨ上で次の新しいデータを送信する。その後、無線基地局５４は、移動通信端末１０の各応答に対して同様の形態で新しいデータを送信しまたは同じデータを再送信する。
【００４３】
通常、移動通信端末は、前述のように、受信データの正常性または誤りが確定するまで、予め通知された数分の候補の制御情報に基づいてチャネルＨＳ−ＰＤＳＣＨ上の受信信号に対して復号の処理を試みる。即ち、受信データのＣＲＣ判定のために、通常、１回乃至４回の復号処理が行われる。従って、２つ乃至４つの候補の制御情報の全てを適用して復号されたデータのＣＲＣ判定結果が最終的に誤り（ＣＲＣ−ＮＧ）または正常（ＣＲＣ−ＯＫ）と判定される場合、高い負荷のターボ復号を含む復号処理の全ての要素が２回乃至４回実行される。
【００４４】
これに対して、実施形態では、移動通信端末１０は、予め通知された数の制御情報が２つ以上の場合は、次のように処理する。即ち、候補の制御情報を適用して、チャネルＨＳ−ＰＤＳＣＨの受信信号を復調し、復調信号に前段の予備処理を行い、そのＨＡＲＱ処理においてＩＲバッファ・サイズのトランスポート・ブロック・データと各レピティション・データの各ビットの尤度値を取得する。次いで、移動通信端末１０は、各候補の制御情報のＴＢＳに基づいて、トランスポート・データと各レピティション・データの各対応ビットの尤度値を加算して、各対応ビットの累積的尤度値を求め、累積的尤度値の絶対値の平均値（ビット当り）を求める。次いで、移動通信端末１０は、各候補の制御情報のＴＢＳに対する累積的尤度値の絶対値の平均値（の大きさ）に応じて、各候補の制御情報の優先度と、後段の復号処理に適用する候補の制御情報を決定する。
【００４５】
次いで、移動通信端末１０は、各候補の制御情報を適用して後段の復号処理が行われた復号データのＣＲＣ判定結果が正常であれば、受信データは正常である（ＣＲＣ−ＯＫ）と判定し、残りの候補の制御情報については後段の復号処理を行わない。従って、候補の制御情報の優先度に従って、通常よりも少ない回数だけ、ターボ復号を含む後段の復号処理が行われる。それによって、移動通信端末１０は、処理負荷および消費電力の大きい後段の復号処理の実行回数を少なくすることができる。
【００４６】
また、移動通信端末１０は、全ての候補の制御情報のＴＢＳに基づくトランスポート・ブロック・データと各レピティション・データの各対応ビットの累積的尤度値の絶対値の平均値が閾値より低い場合、後段の復号処理を全く行わなくてもよい。この場合、受信信号がＤＴＸ（不連続送信）である判断される。それによって、移動通信端末１０は、受信誤り（ＣＲＣ−ＮＧ）と判定される可能性の高い受信信号に対して後段の復号処理を行わなくてよくなる。
【００４７】
次は、実施形態による復号処理部２２４の概略的な構成および動作を、より具体的に説明する。
【００４８】
図７は、実施形態による、図３の復号処理部２２４の概略的な構成（configuration）の例を示している。
【００４９】
復号処理部２２４は、ＨＳ−ＳＣＣＨ復号処理部２３６およびＨＳ−ＰＤＳＣＨ復号処理部２３８を含んでいる。復号処理部２２４は、集積回路のようなハードウェア、または復号用のプログラムに従って動作するディジタル信号プロセッサ（ＤＳＰ）によって実現することができる。
【００５０】
ＨＳ−ＳＣＣＨ復号処理部２３６は、復調処理部２２６に結合されたデマッピング部２２１２、デレートマッチング部２２１４、ビタビ復号部２２１６、およびＣＲＣチェック部２２１８を含んでいる。一方、ＨＳ−ＰＤＳＣＨ復号処理部２３８は、ＩＲ（Incremental Redundancy）バッファ部２２５０、および制御情報格納部２２５２を含んでいる。また、ＨＳ−ＰＤＳＣＨ復号処理部２３８は、前段の予備処理として、復調処理部２２６に結合されたデマッピング部２２６２、デインタリーブ部２２６４、デセグメント部２２６６、およびＨＡＲＱ処理部２２６８を含んでいる。また、ＨＳ−ＰＤＳＣＨ復号処理部２３８は、後段の復号処理として、ターボ復号部２２７０、コードブロック・デセグメント部２２７２、デスクランブル部２２７４、およびデータ処理部３２６に結合されたＣＲＣチェック部２２７６を含んでいる。また、ＨＳ−ＰＤＳＣＨ復号処理部２３８は、ＨＳ−ＳＣＣＨレスの動作モードにおいてＨＡＲＱ処理部２２６８に関連して使用されるパタンマッチング判定部または適用制御情報決定部２２５４を含んでいる。
【００５１】
ＨＳ−ＳＣＣＨ復号処理部２３６において、復調処理部２２６からの出力の復調信号がデマッピング部２２１２の入力に供給され、デマッピング部２２１２の出力がデレートマチング部２２１４の入力に結合される。また、デレートマチング部２２１４の出力がビタビ復号部２２１６の入力に結合され、ビタビ復号部２２１６の出力がＣＲＣチェック部２２１８の入力に結合される。ＣＲＣチェック部２２１８は、誤り検査であるＣＲＣ（Cyclic Redundancy Check：巡回冗長検査）のチェック結果を出力する。ＣＲＣチェック部２２１８の出力が、通信制御部１６２に供給され、制御情報格納部２２５２に格納される。
【００５２】
ＨＳ−ＳＣＣＨ復号処理部２３６は、チャネルＨＳ−ＳＣＣＨで制御情報が送信された場合、チャネルＨＳ−ＳＣＣＨの復号された制御情報を出力する。この場合、ＨＳ−ＰＤＳＣＨ復号処理部２３８は、指定された制御情報に基づいてチャネルＨＳ−ＰＤＳＣＨの受信信号を復調および復号処理して復号データを出力する。
【００５３】
無線基地局５４によるチャネルＨＳ−ＰＤＳＣＨでの信号送信において、誤り訂正を行うために、ターボ符号によるＦＥＣ（Forward Error Control：前方誤り訂正）に加えて、ＨＡＲＱ（Hybrid Automatic Repeat reQuest：自動再送要求）が用いられる。ＨＡＲＱ処理のために、移動通信端末１０は、受信された符号列（ＴＢ）の軟判定データ（尤度値）をＩＲバッファ部２２５０に一時的に格納する。ＩＲバッファ部２２５０のサイズは、移動通信端末１０から無線基地局５４へ予め通知される。
【００５４】
一方、ＨＳ−ＳＣＣＨ復号処理部２３６は、ＨＳ−ＳＣＣＨレスの動作モードで、チャネルＨＳ−ＰＤＳＣＨで新しいデータが送信される場合、チャネルＨＳ−ＳＣＣＨ上では信号を受信せず、復調および復号処理を行わない。
【００５５】
ＨＳ−ＰＤＳＣＨ復号処理部２３８において、後段のターボ復号部２２７０乃至ＣＲＣチェック部２２７６の処理負荷および消費電力は、前段のデマッピング部２２６２乃至ＨＡＲＱ処理部２２６８の処理負荷および消費電力よりかなり大きい。また、前段のデマッピング部２２６２乃至ＨＡＲＱ処理部２２６８において、各候補の制御情報の適用の有効性または妥当性を判定できれば、後段のターボ復号部２２７０乃至ＣＲＣチェック部２２７６は後段の復号処理の実行回数または頻度を減らすことができる。
【００５６】
ＨＳ−ＳＣＣＨレスの動作モードにおいて、ＨＳ−ＰＤＳＣＨ復号処理部２３８は、全ての候補の制御情報に基づいて、前段の予備処理を行う。次いで、パタンマッチング判定部２２５４は、それぞれの候補のＴＢＳによる、トランスポート・ブロック・データおよびレピティション・データの各対応ビットの累積的尤度値の絶対値の平均値を求める。次いで、パタンマッチング判定部２２５４は、それぞれの候補のＴＢＳによる各対応ビットの累積的尤度値の絶対値の平均値に基づいて各候補の制御情報の優先度を決定し、後段の復号処理に適用する制御情報を選択する。次いで、ＨＳ−ＰＤＳＣＨ復号処理部２３８は、ＨＡＲＱ処理されたデータに対して、選択された少なくとも１つの候補の制御情報に基づいて優先度順に後段の復号処理を行う。一方、ＨＳ−ＰＤＳＣＨ復号処理部２３８は、１つの候補の制御情報を適用して復号された受信データが正常と判断された場合、前述のように、残りの候補の制御情報を適用して後段の復号処理を行うことはない。なお、候補の制御情報の数が１つしかない場合は、その制御情報だけが後段の復号処理に適用される。この場合、そのＨＳ−ＳＣＣＨレスの動作モードにおいては、チャネルＨＳ−ＰＤＳＣＨの信号に適用される制御情報は固定され変更されない。
【００５７】
図９は、ＩＲバッファ部２２５０に格納される、受信した１つのトランスポート・ブロック（ＴＢ）およびそのレピティション（繰り返し）のデータのシーケンスの例を示している。無線基地局５４から送信されるＴＢデータは、最初に特定ビット数分のＴＢデータ（尤度情報）を含み、その後に同じＴＢデータがＩＲバッファ・サイズを満たすまでレピティション・データとして反復される。ここで、トランスポート・ブロック・サイズ（ＴＢＳ）のビット数は、指定された候補の制御情報毎に異なり、候補の制御情報が４つの場合、例えば、ＴＢＳ＿１＝５ビット、ＴＢＳ＿２＝７ビット、ＴＢＳ＿３＝１０ビット、およびＴＢＳ＿４＝１２ビットである。受信したＴＢデータの各ビットは、尤度値−３２〜＋３２の信頼度または評価値を有する。
【００５８】
従って、送信されたＴＢデータのＴＢＳが、例えばＴＢＳ＿１＝５ビットであれば、ＩＲバッファ部２２５０において同じ５ビット分の尤度値のパタンが反復されると期待される。同様に、送信されたＴＢデータのＴＢＳが、例えばＴＢＳ＿２＝７ビットであれば、ＩＲバッファ部２２５０において同じ７ビット分の尤度値のパタンが反復されると期待される。送信されたＴＢデータのＴＢＳが、例えばＴＢＳ＿３＝１０ビットであれば、ＩＲバッファ部２２５０において同じ１０ビット分の尤度値のパタンが反復されると期待される。送信されたＴＢデータのＴＢＳが、例えばＴＢＳ＿４＝１２ビットであれば、ＩＲバッファ部２２５０において同じ１２ビット分の尤度値のパタンが反復されると期待される。
【００５９】
従って、パタンマッチング判定部２２５４は、候補ＴＢＳとして５、７、１０および１２ビットを仮定し、ＩＲバッファ部２２５０のデータのシーケンスにおいて５ビット、７ビット、１０ビットおよび１２ビット毎のデータの各対応ビットの尤度値を累積的に加算する。そうすると、正しい候補のＴＢＳを適用した場合の各対応ビットの尤度値（−３２〜＋３２）の累積的加算値の絶対値（０〜３２）は、他の候補のＴＢＳを適用した場合の各対応ビットの尤度値の累積的加算値の絶対値よりも大きくなる可能性が高い。但し、伝送信号が電波干渉等によって大きく歪んで、各ビットの尤度値にランダムな正負の誤差が加わって、正しい候補のＴＢＳの場合における各対応ビットの尤度値の累積的加算値の絶対値が小さくなることがある。
【００６０】
従って、実施形態では、前段のデマッピング部２２６２乃至ＨＡＲＱ処理部２２６８が全ての候補の制御情報に基づいて予備処理を行う。次いで、パタンマッチング判定部２２５４は、各候補の制御情報の候補のＴＢＳについて、ＴＢデータおよび各レピティション・データの対応ビットの尤度値（−３２〜＋３２）を累積的に加算して累積的尤度値を求める。次いで、パタンマッチング判定部２２５４は、各候補のＴＢＳに基づいて、対応ビットの累積的尤度値の絶対値の平均値を、各候補のＴＢＳに基づくＴＢデータおよびレピティション・データの尤度値のマッチング率または確からしさとして求める。ここで、対応ビットの累積的尤度値の絶対値の平均値が大きくなるに従って、ＴＢＳデータと各レピティション・データの対応ビットの間の尤度値のマッチング率または一致度が高くなる。次いで、パタンマッチング判定部２２５４は、対応ビットの累積的尤度値の絶対値の平均値またはマッチング率の大きさに従って、後段の復号処理に適用する制御情報の優先度を決定する。
【００６１】
一方、累積的尤度値の絶対値の平均値またはマッチング率が小さい候補の制御情報を適用してＴＢデータを復号した場合、予備処理で得られたＴＢデータの尤度値の信頼性が低いので、後段のＣＲＣチェック部２２７６においてＣＲＣが正常と判定される確率は低い。従って、ＨＳ−ＰＤＳＣＨ復号処理部２３８は、優先度の高い制御情報だけを適用して、後段のターボ復号部２２７０乃至ＣＲＣチェック部２２７６の処理を行わせればよい。それによって、ＨＳ−ＰＤＳＣＨ復号処理部２３８は、後段のターボ復号部２２７０乃至ＣＲＣチェック部２２７６の処理負荷および消費電力を低減することができる。また、データ再送時に、チャネルＨＳ−ＳＣＣＨ上の制御情報でＨＳ−ＳＣＣＨ Ｔｙｐｅ２で再送データの正しい候補の制御情報が示されるので、累積的尤度値の絶対値の平均値又はマッチング率が低い候補の制御情報を適用した復号処理を行わなくても問題はない。
【００６２】
図８Ａおよび８Ｂは、実施形態による、移動通信端末１０のＨＳ−ＰＤＳＣＨ復号処理部２３８によって実行される、復号処理のためのフローチャートの例を示している。
【００６３】
図８Ａを参照すると、ステップ５０２〜５２８は、指定された候補数分の各制御情報について順に繰り返し実行される。
【００６４】
ステップ５０４において、デマッピング部２２６２は、対応する候補の制御情報に基づいて復調されたデータについて、対応する候補の制御情報に基づいて、各物理チャネルにフレーム分割されたデータを結合して元のデータに戻す。ステップ５０６において、デインタリーブ部２２６４は、候補の制御情報に基づいて、データに対して逆インタリーブを行ってインタリーブを戻す。ステップ５０８において、デセグメント部２２６６は、候補の制御情報に基づいて、フレームの逆セグメント化を行ってセグメントを結合する。
【００６５】
ステップ５１０はステップ５１２および５１４を含んでいる。ステップ５１０において、ＨＡＲＱ処理部２２６８は、候補の制御情報のＴＢＳに基づいてＨＡＲＱ処理を行う。
【００６６】
ステップ５１２において、ＨＡＲＱ処理部２２６８は、対応する候補のＴＢＳに基づいてＴＢデータとその各レピティション・データを分離および／または合成（デレピティション）して、１つのトランスポート・ブロック（ＴＢ）のデータを再生する。ステップ５１４において、ＨＡＲＱ処理部２２６８は、候補の制御情報のＴＢＳに基づいて、例えばＩＲ合成のようなＨＡＲＱ合成を行う。
【００６７】
ステップ５２０はステップ５２２および５２４を含んでいる。ステップ５２０において、パタンマッチング判定部２２５４は、候補のＴＢＳ毎に、ＴＢデータと各レピティション・データの尤度値のマッチング率を求める。次いで、パタンマッチング判定部２２５４は、それぞれの候補のＴＢＳ毎のマッチング率に基づいて、候補のＴＢＳに対応する候補の制御情報の優先度を決定し、後段の復号処理に適用される候補の制御情報を選択する。
【００６８】
ステップ５２２において、パタンマッチング判定部２２５４は、各候補のＴＢＳに基づいて、ＴＢデータおよび各レピティション・データの対応ビットの累積的尤度値を求め、対応ビットの累積的尤度値の絶対値の平均値をマッチング率として求める。次いで、パタンマッチング判定部２２５４は、累積的尤度値の絶対値の平均値またはマッチング率の大きさの順に、後段の復号処理に適用する制御情報の優先度（例えば、１〜４）を決定する。
【００６９】
ステップ５２４において、パタンマッチング判定部２２５４は、累積的尤度値の絶対値の平均値またはマッチング率の中から閾値（例えば、６）を超えるものを選択し、選択されたマッチング率を算出するのに適用されたＴＢＳを含む候補の制御情報を選択する。パタンマッチング判定部２２５４は、さらに閾値以上のマッチング率を算出するのに適用された候補の制御情報の中から優先度の高い１つ乃至３つの候補の制御情報を、後段の復号処理に適用される候補の制御情報として選択する。従って、後段の復号処理に適用される候補の制御情報の数は削減され得る。閾値以上の累積的尤度値の絶対値の平均値またはマッチング率が存在しない場合は、ＨＡＲＱ処理部２２６８は、ＨＡＲＱ処理されたデータをターボ復号部２２７０に供給しない。この場合、ＨＳ−ＰＤＳＣＨ復号処理部２３８またはそのＣＲＣチェック部２２７６は、復号データをデータ処理部３２６に供給しない。
【００７０】
図８Ｂを参照すると、ステップ５３０〜５４４は、ステップ５２４で決定された後段の復号処理に適用される候補数分の各制御情報について、繰り返し実行される。前段で予備処理されたデータは、候補の制御情報が優先度順に適用されて後段の復号処理が行われる。但し、後段の復号処理に適用される候補の制御情報が存在しない場合は、ステップ５３０〜５４４は実行されない。
【００７１】
ステップ５３２において、ターボ復号部２２７０は、対応する候補の制御情報に基づいて、ＨＡＲＱ処理された１つのトランスポート・ブロックのデータに対してターボ復号を行う。ステップ５３４において、コードブロック・デセグメント部２２７２は、ターボ復号されたデータのコードブロックを逆セグメント化しまたは結合する。ステップ５３６において、デスクランブル部２２７４は、逆セグメント化されたデータに対して逆スクランブルを行う。
【００７２】
ステップ５４０において、ＣＲＣチェック部２２７６は、逆スクランブル化されて復号されたデータに対してＣＲＣチェックを行う。ステップ５４２において、ＣＲＣチェック部２２７６は、ＣＲＣチェク結果が良好（ＯＫ）かまたは不良もしくはＣＲＣ誤り（ＮＧ）かを判定する。ＣＲＣチェック結果が良好であると判定された場合は、手順はステップ５４６に進む。ＣＲＣチェック結果が不良であると判定された場合は、手順はステップ５４４に進む。ステップ５４４において、全ての後段の復号処理に適用される候補数分の各制御情報について後段の復号処理の結果がＣＲＣ誤りと判定された場合は、手順はステップ５４６に進む。
【００７３】
ステップ５４６において、データ処理部３２６は、ＣＲＣチェック結果が良好であると判定されたデータを処理する。この場合、移動通信端末１０は、受信データが自己宛であれば、無線基地局５４に対して応答としてＡＣＫを送信する。一方、候補の制御情報に基づいて復号されたいずれのデータのＣＲＣチェック結果も不良であると判定された場合は、データ処理部３２６は、ＣＲＣ誤りのための処理を行い、移動通信端末１０は、無線基地局５４に対して応答としてＮＡＣＫを送信する。また、データ処理部３２６がＣＲＣチェック部２２７６から復号データを受け取らなかった場合は、移動通信端末１０は、応答としてＤＣＴを送信する。
【００７４】
次は、移動通信端末１０における、受信データの尤度情報に基づく各候補の制御情報の優先度の決定のしかた、および復号処理に適用される候補の制御情報の決定のしかたを、具体的な例で説明する。
【００７５】
図９のＴＢデータのシーケンスにおいて、例えば、ＩＲバッファ部２２５０のＩＲバファ・サイズが３０ビットであるものとする。
【００７６】
図９において、トランスポート・ブロック・サイズＴＢＳ＿１が５ビットの場合、トランスポート・ブロック（ＴＢ）のデータの後に、同じデータを含むレピティション・データ１〜５が繰り返される。また、ＴＢＳ＿２が７ビットの場合、トランスポート・ブロック（ＴＢ）のデータの後に、同じデータを含むレピティション・データ１〜３と、先頭２ビットだけ同じデータを含むレピティション・データ４とが繰り返される。ＴＢＳ＿３が１０ビットの場合、トランスポート・ブロック（ＴＢ）のデータの後に、同じデータを含むレピティション・データ１、２が繰り返される。また、ＴＢＳ＿４が１２ビットの場合、１つのトランスポート・ブロック（ＴＢ）のデータの後に、同じデータを含むレピティション・データ１と、先頭６ビットだけ同じデータを含むレピティション・データ２とが繰り返される。
【００７７】
図１０Ａ〜１０Ｄは、パタンマッチング判定部２２５４によって求められる、図９のトランスポート・ブロック（ＴＢ）データとその各レピティション・データの各対応ビット位置の累積的尤度値（尤度値の総和）の例を示している。
【００７８】
図１０Ａ〜１０Ｄには、図９の４つの候補のトランスポート・ブロック・サイズＴＢＳ＿１〜ＴＢＳ＿４について、各候補のトランスポート・ブロックの算出された各対応ビットの累積的尤度値が示されている。
【００７９】
候補のＴＢＳ＿１が５ビットの場合について、ＴＢデータおよび各レピティション・データの各対応ビットの累積的尤度値または尤度値の総和が、図１０Ａに示されている。この場合、ビット番号１〜５の各尤度値の累積的尤度値は、それぞれ７、−１１、８、−３、３５である。従って、累積的尤度値の絶対値の、１ビット当りの平均値は、（７＋１１＋８＋３＋３５）÷５ビット≒１２．８である。各候補のＴＢＳについて、ＴＢデータの各ビットについて、レピティション・データが多いほど同じビット位置の尤度値の総和の絶対値が大きくなり、ＴＢデータのビットの尤度または信頼度が高くなる。
【００８０】
候補のＴＢＳ＿２が７ビットの場合について、ＴＢデータおよび各レピティション・データの各対応ビットの累積的尤度値または尤値度の総和が、図１０Ｂに示されている。この場合、ビット番号１〜７の各尤度値の累積的尤度値は、それぞれ４６、−１２、−１３、６０、−６５、−３５、−５１、４７である。従って、累積的尤度値の絶対値の、１ビット当りの平均値は、（４６＋１２＋１３＋６０＋６５＋３５＋５１＋４７）÷８ビット≒３７．７である。
【００８１】
候補のＴＢＳ＿３が１０ビットの場合について、ＴＢデータおよび各レピティション・データの各対応ビットの累積的尤度値または尤度値の総和は、図１０Ｃに示されている。この場合、ビット番号１〜１０の各尤度値の累積的尤度値は、それぞれ７２、７８、−８８、６４、−５２、−６５、−８９、９６、−２３、８７である。従って、累積的尤度値の絶対値の、１ビット当りの平均値は、（７２＋７８＋８８＋６４＋５２＋６５＋８９＋９６＋２３＋８７）÷１０ビット＝７１．４である。
【００８２】
候補のＴＢＳ＿４が１２ビットの場合について、ＴＢデータおよび各レピティション・データの各対応ビットの累積的尤度値または尤度値の総和が、図１０Ｄに示されている。この場合、ビット番号１〜１２の各尤度値の累積的尤度値は、それぞれ−２５、２８、−７５、３３、−６７、３９、−５３、６２、５、５３、−３、４５である。従って、累積的尤度値の絶対値の、１ビット当りの平均値は、（２５＋２８＋７５＋３３＋６７＋３９＋５３＋６２＋５＋５３＋３＋４５）÷１２ビット＝４０．７である。
【００８３】
従って、累積的尤度値の絶対値の平均値の大きさの順に、候補のＴＢＳ＿３は優先度１が与えられ、候補のＴＢＳ＿４は優先度２が与えられ、候補のＴＢＳ＿２は優先度３が与えられ、候補のＴＢＳ＿１は優先度４が与えられる。
【００８４】
また、累積的尤度値の絶対値の平均値（マッチング率）は、閾値（例えば、６）以上の場合にだけ、対応するＴＢＳを含む制御情報が後段の復号処理に適用されてもよい。この場合、累積的尤度値の絶対値の平均値（マッチング率）が閾値より小さい場合は、対応するＴＢＳを含む制御情報が後段の復号処理に適用されない。一方、マッチング率が閾値以上の候補のＴＢＳがない場合、前述のように、移動通信端末１０は、後段の復号処理を行うことなく、ＤＴＸ（不連続送信）としてデータの再送を要求する。
【００８５】
また、４つの候補のＴＢＳ＿１〜ＴＢＳ＿４の中の累積的尤度値の絶対値の平均値が高い順または優先度１〜４の順に、対応する制御情報が後段の復号処理に適用される。その際、優先度１または優先度１および２の候補のＴＢＳを含む制御情報だけが後段の復号処理に適用されてもよい。この場合、他の候補のＴＢＳを含む制御情報を適用して後段の復号処理を行っても、ＣＲＣ誤りになる可能性が高いので、それ以上復号処理を行わないという決定は妥当である。
【００８６】
このように、実施形態によれば、ＨＳ−ＤＰＡ方式のＨＳ−ＳＣＣＨレスの動作モードにおいて、移動通信端末１０は、チャネルＨＳ−ＰＤＳＣＨの受信信号の復号処理の負荷および消費電力の増大を抑えることができる。
【００８７】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【００８８】
以上の実施例を含む実施形態に関して、さらに以下の付記を開示する。
（付記１）復号前に通知された複数の候補の制御情報のそれぞれのトランスポート・ブロック・サイズに基づいて、受信データのトランスポート・ブロック・データとそのレピティション・データの尤度を加算した尤度の絶対値の平均値を求め、前記絶対値の平均値に基づいて前記複数の候補の制御情報の中の適用する候補の制御情報を選択し、選択された前記候補の制御情報を適用して前記受信データの復号処理を行う処理部を含む無線通信装置。
（付記２）前記適用する候補の制御情報は、前記加算した尤度の絶対値の平均値が閾値以上となった場合に適用された候補のトランスポート・ブロック・サイズを含むものであることを特徴とする、付記１に記載の無線通信装置。
（付記３）選択された前記候補の制御情報における候補のトランスポート・ブロック・サイズに基づいて求められた前記絶対値の平均値は、前記複数の候補の制御情報の中の他の候補の制御情報における候補のトランスポート・ブロック・サイズに基づいて求められた前記絶対値の平均値より大きいものであることを特徴とする、付記１または２に記載の無線通信装置。
（付記４）前記処理部は、選択された前記複数の候補の制御情報のそれぞれの前記候補のトランスポート・ブロック・サイズに基づいて求められた前記絶対値の平均値の大きさの順に、選択された前記候補の制御情報に基づいて前記受信データの復号処理を行うものであることを特徴とする、付記１乃至３のいずれかに記載の無線通信装置。
（付記５）前記処理部は、選択された前記候補の制御情報の１つに基づいて前記復号処理によって復号されたデータが正常であれば、選択された前記候補の制御情報の中の残りの制御情報に基づいて復号処理を行わないものであることを特徴とする、付記１乃至３のいずれかに記載の無線通信装置。
（付記６）復号前に通知された複数の候補の制御情報のそれぞれのトランスポート・ブロック・サイズに基づいて、受信データのトランスポート・ブロック・データとそのレピティション・データの尤度を加算した尤度の絶対値の平均値を求め、前記絶対値の平均値に基づいて前記複数の候補の制御情報の中の適用する候補の制御情報を選択し、選択された前記候補の制御情報を適用して前記受信データの復号処理を行う処理を、無線通信装置が実行することを特徴とする復号処理方法。
【符号の説明】
【００８９】
１０  移動通信端末
１２  アンテナ
１４  無線回路部
１６  通信処理部
１６２  通信制御部
１６４  ベースバンド信号処理部
１６８  記憶部
１８  アプリケーション処理部
２２６  復調処理部
２２４  復号処理部
３２６  データ処理部
２３６  ＨＳ−ＳＣＣＨ復号処理部
２３８  ＨＳ−ＰＤＳＣＨ復号処理部
２２５０  ＩＲバッファ部
２２５２  制御情報格納部
２２５４  パタンマッチング判定部
２２６８  ＨＡＲＱ処理部
２２７０  ターボ復号部
２２７６  ＣＲＣチェック部
【図１】
2015213268.tif 000003
【図２】
2015213268.tif 000004
【図３】
2015213268.tif 000005
【図４】
2015213268.tif 000006
【図５】
2015213268.tif 000007
【図６】
2015213268.tif 000008
【図７】
2015213268.tif 000009
【図８Ａ】
2015213268.tif 000010
【図８Ｂ】
2015213268.tif 000011
【図９】
2015213268.tif 000012
【図１０】
2015213268.tif 000013